(57)【要約】【課題】容器本体の外部の液体が空気用シリンダ内に意図せず流入するのを抑制するとともに、意図せず空気用シリンダ内に流入した水や内容液などの液体を使用時に排出する。【解決手段】空気用シリンダ２８の底部２８ａには、径方向の外側から内側に向かうに従い漸次、下側に向けて延び、径方向の内側の端部が液用シリンダ２６の上端開口部に至る案内面５３と、が設けられ、ポンプ１３は、空気用シリンダ２８内の空気を気液混合室２９に導く空気通路３６を備え、ステム１２には、ステム１２から径方向の外側に突出して挿通筒部３２の下端に当接し、空気通路３６を通した気液混合室２９内と空気用シリンダ２８内との連通を遮断する当接部３７が設けられ、当接部３７は、ステム１２が下降移動させられたときに、挿通筒部３２の下端から離間し、空気通路３６を通した気液混合室２９内と空気用シリンダ２８内とを連通させた状態で、液用シリンダ２６内に配置される。【選択図】図２
2015163514.tif 000002
【特許請求の範囲】
【請求項１】
内容液が収容された容器本体の口部に上方付勢状態で下方移動可能に立設されるステムを有するポンプと、
前記ステムの上端部に配置され、ノズル孔が形成された押下ヘッドと、を備え、
前記ポンプは、
前記ステムに連係する液用ピストンおよび空気用ピストンと、
前記液用ピストンが内部に上下摺動自在に収容された液用シリンダと、
前記空気用ピストンが内部に上下摺動自在に収容された空気用シリンダと、
前記液用シリンダからの内容液と前記空気用シリンダからの空気とを混合する気液混合室と、を備える泡吐出器であって、
前記空気用シリンダは、前記容器本体内に収容される有底筒状に形成され、
前記液用シリンダは、前記空気用シリンダの底部から下方に向けて延び、
前記空気用シリンダの底部には、
前記空気用シリンダ内に空気を導入する空気導入孔と、
径方向の外側から内側に向かうに従い漸次、下側に向けて延び、径方向の内側の端部が前記液用シリンダの上端開口部に至る案内面と、が設けられ、
前記ステムは、前記液用ピストンから上方に向けて延び、
前記空気用ピストンは、内部に前記ステムが上下動自在に挿通される挿通筒部を備え、
前記ポンプは、前記空気用シリンダ内の空気を前記気液混合室に導く空気通路を備え、
前記空気通路の少なくとも一部は、前記ステムと前記挿通筒部との間に形成され、
前記ステムには、前記ステムから径方向の外側に突出して前記挿通筒部の下端に当接し、前記空気通路を通した前記気液混合室内と前記空気用シリンダ内との連通を遮断する当接部が設けられ、
前記当接部は、前記ステムが下降移動させられたときに、前記挿通筒部の下端から離間し、前記空気通路を通した前記気液混合室内と前記空気用シリンダ内とを連通させた状態で、前記液用シリンダ内に配置されることを特徴とする泡吐出器。
【請求項２】
前記案内面は、前記空気用シリンダの底部において前記空気導入孔が形成された部分から、径方向の内側に向けて延びていることを特徴とする請求項１記載の泡吐出器。
【請求項３】
前記案内面は、前記液用シリンダの上端開口部を径方向の外側から囲うように、周方向の全周にわたって設けられていることを特徴とする請求項１または２に記載の泡吐出器。
【請求項４】
前記空気用シリンダの底部には、下方に向けて窪む窪み部が設けられ、
前記空気導入孔は、前記窪み部の底面に形成されていることを特徴とする請求項１から３のいずれか１項に記載の泡吐出器。
【発明の詳細な説明】
【技術分野】
【０００１】
本発明は、泡吐出器に関する。
【背景技術】
【０００２】
従来から、例えば下記特許文献１に示された泡吐出器が知られている。この泡吐出器は、内容液が収容された容器本体の口部に上方付勢状態で下方移動可能に立設されるステムを有するポンプと、ステムの上端部に配置され、ノズル孔が形成された押下ヘッドと、を備えている。ポンプは、ステムに連係する液用ピストンおよび空気用ピストンと、液用ピストンが内部に上下摺動自在に収容された液用シリンダと、空気用ピストンが内部に上下摺動自在に収容された空気用シリンダと、液用シリンダからの内容液と空気用シリンダからの空気とを混合する気液混合室と、を備えている。
【先行技術文献】
【特許文献】
【０００３】
【特許文献１】特開２００１−１９０１４号公報
【発明の概要】
【発明が解決しようとする課題】
【０００４】
しかしながら、前記従来の泡吐出器では、ポンプに、空気用シリンダ内に空気としての外気を導入する流路が備えられていて、この流路から、容器本体外にある水などの液体が空気用シリンダ内に意図せず流入するおそれがある。
【０００５】
本発明は、前述した事情に鑑みてなされたものであって、容器本体の外部の液体が空気用シリンダ内に意図せず流入するのを抑制するとともに、意図せず空気用シリンダ内に流入した水や内容液などの液体を使用時に排出することを目的とする。
【課題を解決するための手段】
【０００６】
前記課題を解決するために、本発明は以下の手段を提案している。
本発明に係る泡吐出器は、内容液が収容された容器本体の口部に上方付勢状態で下方移動可能に立設されるステムを有するポンプと、前記ステムの上端部に配置され、ノズル孔が形成された押下ヘッドと、を備え、前記ポンプは、前記ステムに連係する液用ピストンおよび空気用ピストンと、前記液用ピストンが内部に上下摺動自在に収容された液用シリンダと、前記空気用ピストンが内部に上下摺動自在に収容された空気用シリンダと、前記液用シリンダからの内容液と前記空気用シリンダからの空気とを混合する気液混合室と、を備える泡吐出器であって、前記空気用シリンダは、前記容器本体内に収容される有底筒状に形成され、前記液用シリンダは、前記空気用シリンダの底部から下方に向けて延び、前記空気用シリンダの底部には、前記空気用シリンダ内に空気を導入する空気導入孔と、径方向の外側から内側に向かうに従い漸次、下側に向けて延び、径方向の内側の端部が前記液用シリンダの上端開口部に至る案内面と、が設けられ、前記ステムは、前記液用ピストンから上方に向けて延び、前記空気用ピストンは、内部に前記ステムが上下動自在に挿通される挿通筒部を備え、前記ポンプは、前記空気用シリンダ内の空気を前記気液混合室に導く空気通路を備え、前記空気通路の少なくとも一部は、前記ステムと前記挿通筒部との間に形成され、前記ステムには、前記ステムから径方向の外側に突出して前記挿通筒部の下端に当接し、前記空気通路を通した前記気液混合室内と前記空気用シリンダ内との連通を遮断する当接部が設けられ、前記当接部は、前記ステムが下降移動させられたときに、前記挿通筒部の下端から離間し、前記空気通路を通した前記気液混合室内と前記空気用シリンダ内とを連通させた状態で、前記液用シリンダ内に配置されることを特徴とする。
【０００７】
この場合、空気導入孔が、空気用シリンダの底部に設けられているので、容器本体の外部の液体を、空気導入孔に到達させ難くすることが可能になり、容器本体の外部の液体が、空気導入孔を通して空気用シリンダ内に意図せず流入するのを抑制することができる。
【０００８】
ところで、この泡吐出器では、空気導入孔から空気用シリンダ内に空気を導入するときに、空気とともに、容器本体内の内容液も空気用シリンダ内に流入するおそれがある。このように空気用シリンダ内に流入した内容液は、空気用シリンダの底部の案内面に到達することで、案内面を伝って液用シリンダの上端開口部に向けて流動する。
ここで、押下ヘッドを押下してステムを下降移動させると、液用ピストンおよび空気用ピストンがステムに連係することでポンプが作動して、液用シリンダ内の内容液および空気用シリンダ内の空気がそれぞれ気液混合室に導かれる。このとき当接部が、液用シリンダ内に配置された状態で挿通筒部の下端から離間しており、前述のように案内面を伝って液用シリンダの上端開口部に向けて流動した内容液が、空気用シリンダ内の空気とともに、当接部と挿通筒部の下端との間を通して空気通路に導入されて気液混合室に導かれる。
したがって、容器本体内の内容液が空気導入孔から空気用シリンダ内に流入したとしても、この内容液を、内容液の吐出操作時に、空気通路を通して空気とともに気液混合室に導くことが可能になり、内容液が空気用シリンダ内に残留するのを抑えることができる。
【０００９】
前記案内面は、前記空気用シリンダの底部において前記空気導入孔が形成された部分から、径方向の内側に向けて延びていてもよい。
【００１０】
この場合、案内面が、空気用シリンダの底部において空気導入孔が形成された部分から、径方向の内側に向けて延びているので、空気導入孔から空気用シリンダ内に流入した内容液を、案内面に到達させ易くすることができる。これにより、空気用シリンダ内に流入した内容液を確実に、案内面を伝って液用シリンダの上端開口部に向けて流動させることが可能になり、内容液が空気用シリンダ内に残留するのを効果的に抑えることができる。
【００１１】
前記案内面は、前記液用シリンダの上端開口部を径方向の外側から囲うように、周方向の全周にわたって設けられていてもよい。
【００１２】
この場合、案内面が、空気用シリンダの底部において液用シリンダの上端開口部の径方向の外側に位置する部分に、周方向の全周にわたって設けられているので、空気導入孔から流入した内容液を、液用シリンダの上端開口部に向けて集約させ易くすることができる。これにより、内容液が空気用シリンダ内に残留するのを効果的に抑えることができる。
【００１３】
前記空気用シリンダの底部には、下方に向けて窪む窪み部が設けられ、前記空気導入孔は、前記窪み部の底面に形成されていてもよい。
【００１４】
この場合、空気導入孔が、窪み部の底面に形成されているので、空気導入孔から流入した内容液が、仮に案内面に到達しなくても、窪み部内の内容液を、空気導入孔から容器本体内に流出させることが可能になり、内容液が空気用シリンダ内に残留するのを効果的に抑えることができる。
【発明の効果】
【００１５】
本発明によれば、容器本体の外部の液体が空気用シリンダ内に意図せず流入するのを抑制するとともに、意図せず空気用シリンダ内に流入した水や内容液などの液体を使用時に排出することができる。
【図面の簡単な説明】
【００１６】
【図１】本発明の一実施形態に係る泡吐出器を示す縦断面図である。
【図２】図１に示す泡吐出器の縦断面図であって、押下ヘッドを押下してステムを下降端位置まで下降移動させた状態を示す図である。
【図３】図２に示す泡吐出器の要部の拡大縦断面図である。
【発明を実施するための形態】
【００１７】
以下、図１から図３を参照し、本発明の一実施形態に係る泡吐出器１０を説明する。泡吐出器１０は、内容液を泡状にして吐出する。内容液としては、例えば皮膚洗浄液（ハンドソープ、ボディソープ）等が挙げられる。
【００１８】
図１に示すように、泡吐出器１０は、内容液が収容される容器本体１の口部１ａに装着される装着キャップ１１と、口部１ａに上方付勢状態で下方移動可能に立設されたステム１２を有するポンプ１３と、ステム１２に装着され、ノズル孔１４が形成された押下ヘッド１５と、装着キャップ１１に着脱自在に装着され、押下ヘッド１５の押下を規制する規制部材１９と、を備えている。
【００１９】
ここで、装着キャップ１１は上下に開口する筒状に形成され、押下ヘッド１５は有頂筒状に形成されている。装着キャップ１１、ステム１２および押下ヘッド１５の各中心軸線は共通軸上に位置している。以下、この共通軸を軸線Ｏといい、軸線Ｏに沿う方向を上下方向といい、上下方向に沿う押下ヘッド１５側を上側といい、その反対側を下側という。この泡吐出器１０を、上下方向から見た平面視において、軸線Ｏに直交する方向を径方向といい、軸線Ｏ回りに周回する方向を周方向という。
【００２０】
装着キャップ１１は、ポンプ１３を容器本体１に装着させる。装着キャップ１１は、容器本体１の口部１ａ上に配置された環状の天壁部１６と、天壁部１６の内周縁部に立設された案内筒部１７と、天壁部１６の外周縁部から下方に向けて延び、口部１ａに装着される装着周壁部１８と、を備えている。なお、口部１ａと装着周壁部１８は、例えば螺合やアンダーカットなどで嵌合されている。
規制部材１９は、前記平面視においてＣ字状に形成され、案内筒部１７に着脱自在に嵌合されている。
【００２１】
ステム１２は、装着キャップ１１内に挿通されている。ステム１２は、下ステム２０と、上ステム２１と、を備えている。
下ステム２０の上端部は、案内筒部１７内に配置されている。下ステム２０の上端部の内周面には、径方向の内側に向けて突出する環状の弁座２２が設けられている。弁座２２には、球状の液吐出弁２３が着座および離反可能に設けられている。液吐出弁２３の上昇移動量は、下ステム２０の上端部内に設けられた押さえ部材２４により制限されている。
【００２２】
上ステム２１の下側部分は、下ステム２０の上端部に外側から嵌合されていて、上ステム２１は、装着キャップ１１の案内筒部１７内に上下動自在に挿入されている。上ステム２１の下側部分は、内径が小さく上側に位置する小内径部と、内径が大きく下側に位置する大内径部と、を備えていて、これらのうちの小内径部が、下ステム２０の上端部に嵌合されている。なお前記大内径部は、この上ステム２１の下端部を構成している。
【００２３】
上ステム２１において上側部分と下側部分との間に位置する中間部分には、縮径部２１ａが形成されている。縮径部２１ａ内には、押さえ部材２４の上端部が配置されている。
上ステム２１の下側部分における前記小内径部の内周面には、上下方向に延在する縦溝２１ｂが複数形成されている。縦溝２１ｂの上端部は、径方向の内側に開口して縮径部２１ａの内側に連通し、縦溝２１ｂの下端部は、下方に開口して上ステム２１の下端部内（大内径部内）に連通している。
【００２４】
ところで前記ポンプ１３は、ステム１２に連係する液用ピストン２５と、液用ピストン２５が内部に上下摺動自在に収容された液用シリンダ２６と、ステム１２に連係する空気用ピストン２７と、空気用ピストン２７が内部に上下摺動自在に収容された空気用シリンダ２８と、液用シリンダ２６からの内容液と空気用シリンダ２８からの空気とを混合する気液混合室２９と、気液混合室２９とノズル孔１４との間に配設され、気液混合室２９からの気液混合体を発泡する発泡部材３０と、を更に備えている。
【００２５】
空気用シリンダ２８は容器本体１内に収容される有底筒状に形成され、液用シリンダ２６は筒状に形成されている。これらの両シリンダは、軸線Ｏと同軸に配設されている。空気用シリンダ２８の上端部には、径方向の外側に突出するフランジが設けられ、前記フランジは、パッキンを介して口部１ａ上に配置されている。空気用シリンダ２８の底部２８ａは、容器本体１内の内容液の液面よりも上側に位置し、液用シリンダ２６は、空気用シリンダ２８の底部から下方に向けて延びている。液用シリンダ２６および空気用シリンダ２８は一体に形成されている。液用シリンダ２６は、空気用シリンダ２８よりも小径に形成されている。
【００２６】
空気用シリンダ２８の周壁部には、空気孔２８ｂが設けられている。空気孔２８ｂは、容器本体１内に開口していて、容器本体１内に外気を導入する。
空気用シリンダ２８の底部２８ａには、窪み部５１と、空気導入孔５２と、案内面５３と、空気弁５４と、が設けられている。
窪み部５１は、空気用シリンダ２８の底部２８ａにおける外周縁部に配置されていて、下方に向けて窪んでいる。窪み部５１は、周方向の全周にわたって延びる環状に形成されている。
【００２７】
空気導入孔５２は、空気用シリンダ２８内に空気を導入する。空気導入孔５２は、容器本体１内に開口していて、容器本体１内の空気を空気用シリンダ２８内に吸引する。空気導入孔５２は、窪み部５１の底面に形成されている。空気導入孔５２は、窪み部５１の底面に、周方向に間隔をあけて複数配置されていて、液用シリンダ２６の上端開口部を径方向の外側から囲繞するように設けられている。
【００２８】
案内面５３は、径方向の外側から内側に向かうに従い漸次、下側に向けて延び、径方向の内側の端部が液用シリンダ２６の上端開口部に至る。案内面５３は、縦断面視において軸線Ｏに対して直線状に傾斜している。案内面５３は、液用シリンダ２６の上端開口部を径方向の外側から囲うように、周方向の全周にわたって設けられている。案内面５３は、上側から下側に向かうに従い漸次縮径するテーパー面状に形成されていて、案内面５３における径方向の内側の端部である内周縁部が、液用シリンダ２６の上端開口部に至る。
【００２９】
案内面５３は、空気用シリンダ２８の底部２８ａにおいて空気導入孔５２が形成された部分である窪み部５１から、径方向の内側に向けて延びている。本実施形態では、案内面５３は、空気用シリンダ２８の底部２８ａのうち、窪み部５１よりも径方向の内側に位置する部分に限定して設けられていて、案内面５３における径方向の外側の端部である外周縁部が、窪み部５１の内周縁部上に位置している。案内面５３は、空気用シリンダ２８の底部２８ａのうち、窪み部５１と、液用シリンダ２６の上端開口部と、の間に位置する領域の全域にわたって設けられている。
【００３０】
空気弁５４は、空気導入孔５２を開閉可能に閉塞していて、容器本体１内から空気用シリンダ２８内への空気の流入を許容し、空気用シリンダ２８内から容器本体１内への空気の流出を規制する逆止弁とされている。空気弁５４は、空気用シリンダ２８内の負圧が作用したときに空気導入孔５２を開放する。空気導入孔５２は、弁筒部５５と、弁体部５６と、を備えている。
【００３１】
弁筒部５５は、窪み部５１内に嵌合されている。弁筒部５５は、窪み部５１において径方向の内側を向く外周面内に嵌合されていて、弁筒部５５の外周面が窪み部５１の外周面に当接し、弁筒部５５の内周面が、窪み部５１において径方向の外側を向く内周面から離間している。
【００３２】
弁体部５６は、弾性変形可能とされ、弁筒部５５から径方向に突出する環状に形成されている。弁体部５６は、弁筒部５５の内周面から径方向の内側に向けて突出していて、弁体部５６の内周縁部は、窪み部５１の内周縁部（案内面５３の外周縁部）に、離反可能に着座している。
【００３３】
弁体部５６は、径方向の外側から内側に向かうに従い漸次、下方に向けて延びていて、縦断面視において軸線Ｏに対して直線状に傾斜している。縦断面視において、軸線Ｏに対する弁体部５６の傾斜角度は、軸線Ｏに対する案内面５３に対する傾斜角度と同等となっていて、弁体部５６は、案内面５３に径方向に連なる傾斜面を形成している。
【００３４】
空気用ピストン２７は、空気用シリンダ２８内に気密状態で上下摺動自在に嵌合された外摺動筒３１と、この外摺動筒３１の内側に配置され、内部にステム１２が上下摺動自在に挿入された内摺動筒（挿通筒部）３２と、外摺動筒３１の内周面と内摺動筒３２の外周面とを連結する連結板３３と、を備えている。
【００３５】
内摺動筒３２内には、ステム１２が上下動自在に挿通されていて、本実施形態では、内摺動筒３２内には、下ステム２０が挿入されている。内摺動筒３２は、下ステム２０における上下方向の中央部に外装されていて、内摺動筒３２の内周面と下ステム２０の外周面との間には、内摺動筒３２の上下方向の全長にわたって延びる連通路Ｓ２が設けられている。
【００３６】
内摺動筒３２の上端部は、上ステム２１の下端部内に上下摺動自在に嵌合されている。内摺動筒３２の上端縁と上ステム２１の前記小内径部の下端縁との間には、上下方向の隙間である連通隙間Ｓ１が設けられている。この連通隙間Ｓ１には、上ステム２１の前記縦溝２１ｂの下端部、および連通路Ｓ２の上端部が各別に開口している。
【００３７】
内摺動筒３２の外周面には、凸リブ部３２ａが設けられている。凸リブ部３２ａは、周方向に間隔をあけて複数設けられている。凸リブ部３２ａは、上下方向に延びる縦リブ状に形成されている。凸リブ部３２ａの下端部は、連結板３３に連結され、凸リブ部３２ａの上端部は、上ステム２１の下端部に上下方向に間隔をあけて対向している。
【００３８】
内摺動筒３２のうち、下端部の外径は、この下端部に上側から連なる部分の外径よりも小さくなっている。図３に示すように、内摺動筒３２のうち、下端部の外周面は、前記連なる部分の外周面に、上側から下側に向かうに従い漸次縮径する縮径面３２ｂを介して連結されている。
【００３９】
図１に示すように、気液混合室２９は、下ステム２０と上ステム２１と押さえ部材２４との間に設けられている。気液混合室２９は、ポンプ１３に備えられた空気通路３６を通して、空気用シリンダ２８内と連通可能とされている。空気通路３６は、空気用シリンダ２８内の空気を気液混合室２９に導く。図示の例では、空気通路３６の少なくとも一部が、ステム１２と内摺動筒３２内との間に形成されていて、空気通路３６は、縦溝２１ｂと、連通隙間Ｓ１と、連通路Ｓ２と、を備えている。
【００４０】
ここで本実施形態では、下ステム２０のうち、空気用シリンダ２８内に位置する部分には、径方向の外側に向けて突出する環状の当接部３７が設けられている。当接部３７の上面部分は、空気用ピストン２７の内摺動筒３２の下端縁に当接し、空気用シリンダ２８内における空気通路３６の開口部を塞いでいて、当接部３７は、空気用シリンダ２８の内部と気液混合室２９との連通を遮断している。
【００４１】
当接部３７は、周方向の全周にわたって延びる環状の突条により形成されている。図３に示すように、当接部３７は、下側に位置する本体突部３７ａと、上側に位置する補助突部３７ｂと、が上下方向に連結されてなる。本体突部３７ａの外径は、補助突部３７ｂの外径よりも大きく内摺動筒３２の下端部の外径と同等とされ、液用シリンダ２６の外径よりも小径となっている。本体突部３７ａの縦断面視形状は、矩形状となっている。補助突部３７ｂは、上側を向く連結面３７ｃを備えている。連結面３７ｃは、下ステム２０において当接部３７に上側から連なる部分の外周面と、本体突部３７ａの上面と、を連結している。なお連結面３７ｃは、縦断面視において直線状に形成されていてもよく、曲線状に形成されていてもよい。
【００４２】
図１に示すように、液用ピストン２５は、下側から上側に向けて漸次、縮径する多段筒状に形成されていて、この液用ピストン２５からは、前記ステム１２が上方に向けて延びている。液用ピストン２５は、ステム１２内に液密状態で嵌合された上側筒部２５ａと、ステム１２の下端開口縁から下方に突出し、液用シリンダ２６内に上下摺動自在に嵌合された下側筒部２５ｂと、を備えている。
【００４３】
前記上側筒部２５ａと、液用シリンダ２６の下端部の内面と、の間には、液用ピストン２５を上方付勢状態で下方移動可能に支持するコイルスプリング３８が配設されている。
液用ピストン２５および液用シリンダ２６の内部には、上下方向に延在する棒状の弁部材３９が設けられている。弁部材３９の上端部は、液用ピストン２５の上側筒部２５ａの上端開口部に着座および離反可能な上部弁体３９ａとされ、弁部材３９の下端部は、液用シリンダ２６内の下端開口部に着座および離反可能な下部弁体３９ｂとされている。
【００４４】
発泡部材３０は、ステム１２内に設けられ、図示の例では、上ステム２１の上側部分内に嵌合されている。発泡部材３０は、筒体の開口端縁上に網体が配設されてなる発泡エレメント３０ａが、上下方向に複数、図示の例では２つ連設されて構成されている。なお、発泡エレメント３０ａは１つであってもよい。
【００４５】
押下ヘッド１５は、ヘッド本体４１と、外装筒部４２と、を備えている。ヘッド本体４１と外装筒部４２とは、別体に形成されるとともに互いに組み付けられている。ヘッド本体４１は、頂壁部４３と、装着筒部４４と、嵌合筒部４５と、ノズル筒部４７と、を備えている。頂壁部４３は、ステム１２の上側に配置されている。
【００４６】
装着筒部４４は、頂壁部４３から下側に向けて延びステム１２に装着されている。装着筒部４４は、軸線Ｏと同軸に配置され、上ステム２１の上端部に外側から嵌合している。装着筒部４４の下端部は、案内筒部１７内に挿入されていて、装着筒部４４は、案内筒部１７内を上下動自在とされている。
嵌合筒部４５は、頂壁部４３から下側に向けて突出し、軸線Ｏと同軸に配置されている。嵌合筒部４５は、装着筒部４４の上端部を径方向の外側から囲繞している。
【００４７】
ノズル筒部４７は、装着筒部４４から径方向の外側に向けて延び、嵌合筒部４５よりも径方向の外側に突出している。ノズル筒部４７内は、装着筒部４４の上端部内を通してステム１２内に連通していて、ノズル筒部４７の突端部内には、前記ノズル孔１４が設けられている。
【００４８】
外装筒部４２は、頂壁部４３の下方に設けられ、外装筒部４２の上端部は、嵌合筒部４５内に嵌合されている。外装筒部４２の上端部には、ノズル筒部４７が収容される収容孔４２ａが形成されている。収容孔４２ａは、上方に向けて開口する切欠き状に形成されている。ノズル筒部４７の外周面と収容孔４２ａの内周面との間には、外装筒部４２の内部と外部とを連通する隙間が設けられている。外装筒部４２は、装着筒部４４および案内筒部１７を径方向の外側から囲繞していて、外装筒部４２内は、案内筒部１７内を通して空気用シリンダ２８内に連通可能となっている。
【００４９】
次に、前記泡吐出器１０の作用について説明する。
【００５０】
前記泡吐出器１０において、内容液を吐出するときには、規制部材１９を取り外し、押下ヘッド１５を押し下げる。すると案内筒部１７が、装着筒部４４と外装筒部４２との間の隙間に進入し、ステム１２および液用ピストン２５が、コイルスプリング３８を上下方向に圧縮変形させながら下方に移動する。
このとき図２および図３に示すように、内摺動筒３２の下端と、ステム１２における当接部３７の上面部分と、の間に、周方向の全周にわたって延びる環状の導入隙間Ｓ３が形成され、導入隙間Ｓ３および空気通路３６を通して空気用シリンダ２８内と気液混合室２９内とが連通する。
【００５１】
さらにこのとき、液用ピストン２５の下方への移動に伴い、液用ピストン２５の上端部が、弁部材３９の上部弁体３９ａから下方に離反し、液用シリンダ２６内とステム１２内とが連通し、弁部材３９の下部弁体３９ｂも下方に移動させられ、この下部弁体３９ｂが液用シリンダ２６内の下端開口部に着座して閉塞する。
【００５２】
そして、上ステム２１の下端縁が前記凸リブ部３２ａの上端部に当接することで、空気用ピストン２７も下方に移動させられる。このとき、空気用シリンダ２８内において空気用ピストン２７の上方に位置する上室に、装着筒部４４と案内筒部１７との間などを通して外気が吸入されながら、空気用シリンダ２８内において空気用ピストン２７の下方に位置する下室内の空気が圧縮させられる。これにより、この下室内の空気が、前記導入隙間Ｓ３から空気通路３６内に流入して気液混合室２９に移送される。
【００５３】
さらにこのとき、弁部材３９の下部弁体３９ｂが、液用シリンダ２６の下端開口部を閉塞した状態で、液用ピストン２５が下方移動することで、液用シリンダ２６内の内容液が上昇してステム１２内に到達する。そして液用シリンダ２６内の液圧を、ステム１２内の液吐出弁２３に作用させ、この液吐出弁２３を弁座２２から上方に離反させることにより、液用シリンダ２６内の内容液を気液混合室２９内に流入させる。
【００５４】
このようにして、気液混合室２９内で内容液および空気を合流させ、発泡部材３０を通過させて内容液を発泡させた後に、装着筒部４４の上端部内およびノズル筒部４７内を通過させノズル孔１４から泡体を吐出させる。
なお図２および図３に示すように、押下ヘッド１５を押し下げた結果、例えば液用ピストン２５の下降移動が規制されること等により、ステム１２が下降端位置まで下降移動したときには、当接部３７が、液用シリンダ２６の上端開口部内に配置され、前記導入隙間Ｓ３が、案内面５３における径方向の内端部である内周縁部上に開口している。
【００５５】
その後、押下ヘッド１５の押し下げを解除すると、コイルスプリング３８の弾性復元力により液用ピストン２５が上方に押し上げられる。これにより、液用ピストン２５の上側筒部２５ａの上端開口部が上部弁体３９ａに当接して、液用シリンダ２６内とステム１２内との連通が遮断されるとともに、下部弁体３９ｂが、液用シリンダ２６内の下端開口部から離反し、容器本体１内と液用シリンダ２６内とが連通して、容器本体１内の内容液が液用シリンダ２６内に流入する。なおこのとき、容器本体１内が負圧になり、前記上室に吸入された外気が、空気孔２８ｂから容器本体１内に導入される。
【００５６】
また、このように上昇する液用ピストン２５とともに、ステム１２および押下ヘッド１５が一体的に上昇し、ステム１２の当接部３７が、空気用ピストン２７の内摺動筒３２の下端縁に当接することで、空気通路３６を通した前記下室と気液混合室２９との連通が遮断される。この状態で、ステム１２および空気用ピストン２７が一体的に上昇して前記下室の内圧が低下することで、空気弁５４が開いて空気導入孔５２が開放され、前記下室内に、容器本体１内の空気が吸入される。
【００５７】
以上説明したように、本実施形態に係る泡吐出器１０によれば、空気導入孔５２が、空気用シリンダ２８の底部２８ａに設けられているので、容器本体１の外部の液体を、空気導入孔５２に到達させ難くすることが可能になり、容器本体１の外部の液体が、空気導入孔５２を通して空気用シリンダ２８内に意図せず流入するのを抑制することができる。
【００５８】
ところで、この泡吐出器１０では、空気導入孔５２から空気用シリンダ２８内に空気を導入するときに、空気とともに、容器本体１内の内容液も空気用シリンダ２８内に流入するおそれがある。泡吐出器１０により吐出する内容液は、単に容器本体１を移動させるだけでも泡立つことがあり、このとき、泡が内容液の液面上に形成されると、内容液が空気導入孔５２から意図せず流入し易くなる。なお、このように空気用シリンダ２８内に流入した内容液は、空気用シリンダ２８の底部２８ａの案内面５３に到達することで、案内面５３を伝って液用シリンダ２６の上端開口部に向けて流動する。
【００５９】
ここで、押下ヘッド１５を押下してステム１２を下降移動させると、液用ピストン２５および空気用ピストン２７がステム１２に連係することでポンプ１３が作動して、液用シリンダ２６内の内容液および空気用シリンダ２８内の空気がそれぞれ気液混合室２９に導かれる。このとき図２および図３に示すように、当接部３７が、液用シリンダ２６の上端開口部内に配置された状態で内摺動筒３２の下端から下方に離間しており、前述のように案内面５３を伝って液用シリンダ２６の上端開口部に向けて流動した内容液が、空気用シリンダ２８内の空気とともに、導入隙間Ｓ３を通して空気通路３６に導入されて気液混合室２９に導かれる。
【００６０】
したがって、容器本体１内の内容液が、空気導入孔５２から空気用シリンダ２８内に流入したとしても、この内容液を、内容液の吐出操作時に、空気通路３６を通して空気とともに気液混合室２９に導くことが可能になり、内容液が空気用シリンダ２８内に残留するのを抑えることができる。
【００６１】
また案内面５３が、空気用シリンダ２８の底部２８ａにおいて空気導入孔５２が形成された部分である窪み部５１から、径方向の内側に向けて延びているので、空気導入孔５２から空気用シリンダ２８内に流入した内容液を、案内面５３に到達させ易くすることができる。これにより、空気用シリンダ２８内に流入した内容液を確実に、案内面５３を伝って液用シリンダ２６の上端開口部に向けて流動させることが可能になり、内容液が空気用シリンダ２８内に残留するのを効果的に抑えることができる。
【００６２】
また案内面５３が、液用シリンダ２６の上端開口部を径方向の外側から囲繞するように、周方向の全周にわたって設けられているので、空気導入孔５２から流入した内容液を、液用シリンダ２６の上端開口部に向けて集約させ易くすることができる。これにより、内容液が空気用シリンダ２８内に残留するのを効果的に抑えることができる。
【００６３】
また空気導入孔５２が、窪み部５１の底面に形成されているので、空気導入孔５２から流入した内容液が、仮に案内面５３に到達しなくても、窪み部５１内の内容液を、空気導入孔５２から容器本体１内に流出させることが可能になり、内容液が空気用シリンダ２８内に残留するのを効果的に抑えることができる。
【００６４】
なお、本発明の技術的範囲は前記実施形態に限定されるものではなく、本発明の趣旨を逸脱しない範囲において種々の変更を加えることが可能である。
【００６５】
例えば、規制部材１９がなくてもよい。
また前記実施形態では、押下ヘッド１５が、別体に形成されたヘッド本体４１と外装筒部４２とを備えているが、本発明はこれに限られない。例えば、押下ヘッドの全体が、一体に形成されていてもよい。
【００６６】
また前記実施形態では、空気導入孔５２が、窪み部５１の底面に形成されているが、本発明はこれに限られない。また窪み部がなくてもよい。
【００６７】
また前記実施形態では、案内面５３が、空気用シリンダ２８の底部２８ａにおいて空気導入孔５２が形成された部分である窪み部５１よりも径方向の内側に位置する部分に限定して設けられているが、本発明はこれに限られない。本発明は、案内面が、空気用シリンダの底部において空気導入孔が形成された部分から、径方向の内側に向けて延びる他の形態に適宜変更することが可能である。例えば、案内面を、空気用シリンダの底部の全域にわたって設け、空気導入孔を、案内面上に形成してもよい。このように、案内面が、空気用シリンダの底部において空気導入孔が形成された部分よりも径方向の外側に位置する部分から、径方向の内側に向けて延びていてもよい。
【００６８】
また前記実施形態では、案内面５３が、液用シリンダ２６の上端開口部を径方向の外側から囲繞するように、周方向の全周にわたって設けられているが、本発明はこれに限られない。例えば、案内面を、径方向に直線状に延びる凹条部の底面により形成してもよい。この場合、前記凹条部を、空気用シリンダの底部において空気導入孔が形成された部分から、径方向の内側に向けて延ばしてもよい。
【００６９】
また前記実施形態では、ステム１２が下降端位置まで下降移動したときに、当接部３７が、液用シリンダ２６の上端開口部内に配置されるが、本発明はこれに限られない。例えば、ステムが下降端位置まで下降移動したときに、当接部が、液用シリンダの上下方向の中央部内に配置されていてもよい。
また前記実施形態では、当接部３７が、下ステム２０における下端よりも上側に位置しているが、本発明はこれに限られず、当接部の上下方向の位置を適宜設定することができる。例えば、当接部が、下ステムにおける下端に配置されていてもよい。
【００７０】
また前記実施形態では、弁体部５６が、案内面５３に径方向に連なる傾斜面を形成しているが、本発明はこれに限られない。例えば、弁体部が、縦断面視において軸線に対して直交する方向に直線状に延びていてもよい。
【００７１】
その他、本発明の趣旨に逸脱しない範囲で、前記実施形態における構成要素を周知の構成要素に置き換えることは適宜可能であり、また、前記した変形例を適宜組み合わせてもよい。
【符号の説明】
【００７２】
１  容器本体
１ａ  口部
１０  泡吐出器
１２  ステム
１３  ポンプ
１４  ノズル孔
１５  押下ヘッド
２５  液用ピストン
２６  液用シリンダ
２７  空気用ピストン
２８  空気用シリンダ
２８ａ  底部
２９  気液混合室
３２  内摺動筒（挿通筒部）
３６  空気通路
３７  当接部
５１  窪み部
５２  空気導入孔
５３  案内面
【図１】
2015163514.tif 000003
【図２】
2015163514.tif 000004
【図３】
2015163514.tif 000005